(57)【要約】【課題】試験効率やコスト効率を向上させる。【解決手段】自動車衝突模擬試験装置は、水平方向Ｄａに移動可能に支持されたスレッド１と、スレッド１に向けて加速度を与えてスレッド１を水平方向Ｄａに移動させるスレッド加速装置と、スレッド１に対して水平方向Ｄａに移動可能に支持されたトーボード４と、トーボード４に向けて加速度を与えてトーボード４を水平方向Ｄａに移動させるトーボード加速度装置３と、トーボード４に取り付けられ、トーボード４に乗員の踵から加わる荷重に相当するように予め定められた質量で形成された錘部５と、を備え、トーボード４は、前記錘部を着脱自在に取り付け可能とする取付部７を有する。【選択図】図４
2018044821.tif 000002
【特許請求の範囲】
【請求項１】
水平方向に移動可能に支持されたスレッドと、
前記スレッドに向けて加速度を与えて前記スレッドを前記水平方向に移動させるスレッド加速装置と、
前記スレッドに対して前記水平方向に移動可能に支持されたトーボードと、
前記トーボードに向けて加速度を与えて前記トーボードを前記水平方向に移動させるトーボード加速度装置と、
前記トーボードに取り付けられ、前記トーボードに対して乗員の踵から加わる荷重に相当するように予め定められた質量で形成された錘部と、を備え、
前記トーボードは、前記錘部を着脱自在に取り付け可能とする取付部を有する自動車衝突模擬試験装置。
【請求項２】
前記トーボードは、
前記水平方向に延びる水平部と、
前記水平部の前記水平方向の一方側の端部から前記水平方向の一方側かつ鉛直方向の上側に延びる傾斜部と、を有し、
前記錘部は、前記傾斜部に取り付けられている請求項１に記載の自動車衝突模擬試験装置。
【請求項３】
前記取付部は、
前記トーボードの全域にわたって形成された複数の孔部と、
前記孔部に挿通して前記錘部を固定する固定部材とを有する請求項１または請求項２に記載の自動車衝突模擬試験装置。
【請求項４】
前記錘部は、同じ形状をなす複数の平板状の板部材が積層されて構成されている請求項１から請求項３のいずれか一項に記載の自動車衝突模擬試験装置。
【発明の詳細な説明】
【技術分野】
【０００１】
本発明は、自動車衝突模擬試験装置に関する。
【背景技術】
【０００２】
一般に、自動車の衝突試験は、クラッシュ量や客室の残存空間量などの物理量と、乗員傷害値とを評価するための実車衝突試験がある。ところが、実車に人体ダミーを乗せて所定速度でバリヤに衝突させる方法は破壊試験であり、非常にコストを要する。このため、エアバッグなどの安全装置を開発するための自動車衝突模擬試験が行われる。自動車衝突模擬試験では、人体ダミーやエアバッグ等を搭載したホワイトボディや模擬車体等の供試体が取り付けられたスレッドが用いられる。自動車衝突模擬試験では、このスレッドに対して実車衝突時とほぼ同様の加速度を与えることで、供試体に作用する衝撃度を非破壊的に再現して乗員傷害値を評価している。
【０００３】
このような自動車衝突模擬試験装置が、例えば、特許文献１に記載されている。特許文献１に記載の自動車衝突模擬試験装置は、水平な前後方向に移動可能なスレッドと、スレッドに加速度を与えるスレッド加速度装置と、スレッドに対して回転自在に支持されるトーボードと、トーボードに加速度を付与する加速度装置とを備えている。加えて、この自動車衝突模擬試験装置では、再現性を向上させるために、スレッド上に配置されるトーボード及び加速度装置の構成部材を全体としてスレッドの左右方向の中心位置が重心位置となるように配置している。この状態で、スレッド上に座席を固定して人体ダミーを座らせ、トーボード上に人体ダミーの足を載せた状態で試験が実施される。これにより、この自動車衝突模擬試験装置では、実車衝突時の衝撃度を非破壊的に再現している。
【先行技術文献】
【特許文献】
【０００４】
【特許文献１】特許第５６２７４０７号公報
【発明の概要】
【発明が解決しようとする課題】
【０００５】
しかしながら、上述したような自動車衝突模擬試験装置では、人体ダミーや人体ダミーをスレッドに固定するための座席及びシートベルト等の供試体を試験の度に交換する必要がある。そのため、試験を複数回にわたって繰り返し実施する際には、供試体を新たに手配する必要があり、試験効率やコスト効率が非常に悪くなってしまう。これに対して、試験効率やコスト効率を向上させたいという要望がある。
【０００６】
本発明は、上記要望に応えるためになされたものであって、試験効率やコスト効率を向上させることが可能な自動車衝突模擬試験装置を提供することを目的とする。
【課題を解決するための手段】
【０００７】
上記課題を解決するために、本発明は以下の手段を提案している。
本発明の第一の態様における自動車衝突模擬試験装置は、水平方向に移動可能に支持されたスレッドと、前記スレッドに向けて加速度を与えて前記スレッドを前記水平方向に移動させるスレッド加速装置と、前記スレッドに対して前記水平方向に移動可能に支持されたトーボードと、前記トーボードに向けて加速度を与えて前記トーボードを前記水平方向に移動させるトーボード加速度装置と、前記トーボードに取り付けられ、前記トーボードに乗員の踵から加わる荷重に相当するように予め定められた質量で形成された錘部と、を備え、前記トーボードは、前記錘部を着脱自在に取り付け可能とする取付部を有する。
【０００８】
このような構成によれば、人体ダミーを用いることなく、人体ダミーを使用した場合のようにトーボードに負荷を与えて試験を行うことができる。これにより、交換の必要な供試体を用いることなく、自動車が衝突した際のトーボードの応答を精度良く再現することができる。
【０００９】
また、本発明の第二の態様における自動車衝突模擬試験装置では、第一の態様において、前記トーボードは、前記水平方向に延びる水平部と、前記水平部の前記水平方向の一方側の端部から前記水平方向の一方側かつ鉛直方向の上側に延びる傾斜部と、を有し、前記錘部は、前記傾斜部に取り付けられていてもよい。
【００１０】
このような構成によれば、実際に乗員が自動車に乗っている場合に負荷がかかるトーボードの位置と同等の位置に錘部によって負荷を与えることができる。これにより、試験時に自動車が衝突した際のトーボードの応答を一層精度良く再現することができる。
【００１１】
また、本発明の第三の態様における自動車衝突模擬試験装置では、第一または第二の態様において、前記取付部は、前記トーボードの全域にわたって形成された複数の孔部と、前記孔部に挿通して前記錘部を固定する固定部材とを有していてもよい。
【００１２】
このような構成によれば、トーボードの任意の位置に錘部を取り付けて試験を実施することができる。
【００１３】
また、本発明の第四の態様における自動車衝突模擬試験装置では、第一から第三の態様のいずれか一つにおいて、前記錘部は、同じ形状をなす複数の平板状の板部材が積層されて構成されていてもよい。
【００１４】
このような構成によれば、積層させる枚数を変化させることで錘部の質量を容易に調整することができる。
【発明の効果】
【００１５】
本発明によれば、試験効率やコスト効率を向上させることができる。
【図面の簡単な説明】
【００１６】
【図１】本発明の実施形態における自動車衝突模擬試験装置を側方から見た様子を説明する側面図である。
【図２】本発明の実施形態における自動車衝突模擬試験装置を上方から見た様子を説明する天面図である。
【図３】本発明の実施形態における自動車衝突模擬試験装置のイントルージョン装置を説明する概略図である。
【図４】本発明の実施形態におけるトーボードの周辺構造を説明する概略図である。
【図５】本発明の実施形態におけるトーボード及び錘部を説明する概略図である。
【発明を実施するための形態】
【００１７】
以下、本発明に係る実施形態の自動車衝突模擬試験装置１００について図１から図５を参照して説明する。
自動車衝突模擬試験装置１００は、実際の自動車の衝突時における慣性力による乗員の移動とともに車両構造物の乗員室内への侵入（イントルージョン）を模擬することができる。本実施形態の自動車衝突模擬試験装置１００は、図１から図３に示すように、スレッド１と、第一発射装置（スレッド加速装置）２と、イントルージョン装置（トーボード加速装置）３と、トーボード４と、錘部５とを備える。
【００１８】
スレッド１は、所定厚さの矩形板状の板材を有する骨組材である。スレッド１は、図１及び図２に示すように、床面１０に対して水平方向Ｄａに移動可能に支持されている。スレッド１は、床面１０に所定間隔を有して配置された左右一対のレール１１に沿って水平方向Ｄａに移動可能に支持されている。スレッド１は、下面に固定されたスライダ１ａがレール１１上を移動することで、レール１１に沿って移動可能とされている。スレッド１は、上面に供試体４ａを搭載可能となっている。
【００１９】
本実施形態の供試体４ａは、骨格のみを有する自動車、いわゆる、ホワイトボディであって、シート、ステアリング、エアバッグなどの装備品が装着されている。本実施形態の供試体４ａには、人体ダミーが含まれていない。供試体４ａは、スレッド１における所定の位置に載置され、図示しない固定具により固定される。ここで、本実施形態の供試体４ａは、ホワイトボディであり、シート、ステアリング、エアバッグを含むものであるが、これに限定されるものではない。供試体４ａは、少なくともトーボード４を含んでいればよい。つまり、供試体４ａは、ホワイトボディを有しておらず、トーボード４のみを有する構成であってもよい。
【００２０】
また、本実施形態では、供試体４ａがスレッド１上に搭載されることから、この供試体４ａである自動車の骨格であるホワイトボディの前後方向を水平方向Ｄａ（図１及び図２の紙面左右方向）とする。ホワイトボディの前後方向の前方（図１及び図２の紙面左側）をスレッド１の水平方向Ｄａの前方とし、ホワイトボディの前後方向の後方（図１及び図２の紙面右側）をスレッド１の水平方向Ｄａの後方として説明する。また、供試体４ａである自動車の側方をスレッド１の側方、つまり、幅方向Ｄｗ（図１の紙面奥行方向及び図２の紙面上下方向）として説明する。
【００２１】
第一発射装置２は、スレッド１に向けて加速度を与えてスレッド１を水平方向Ｄａに移動させる。本実施形態の第一発射装置２は、スレッド１の水平方向Ｄａの前方の床面１０に配置されている。第一発射装置２は、油圧制御（または、空圧制御、摩擦制御など）されることで、スレッド１側に打ち出される第一ピストン２１を有している。第一発射装置２は、第一ピストン２１の先端がスレッド１の前方の端部に接触した状態で第一ピストン２１を打ち出す。これにより、第一発射装置２は、スレッド１に対して水平方向Ｄａの後方への衝撃力、つまり、加速度を与えている。第一発射装置２によりスレッド１に後方加速度を付与することで、スレッド１上の供試体４ａは前面衝突したときに後方加速度を受けることと同様の状況となる。その結果、自動車衝突模擬試験装置１００では、自動車が衝突した際の衝撃を供試体４ａに発生させている。
【００２２】
イントルージョン装置３は、トーボード４に向けて加速度を与えてトーボード４を水平方向Ｄａに移動させる。イントルージョン装置３は、供試体４ａの前方に位置するようにスレッド１上に設けられている。イントルージョン装置３は、図３に示すように、トーボード支持部３１と、第二発射装置３２と、第三発射装置３３とを有する。
【００２３】
トーボード支持部３１は、後述するトーボード４をスレッド１上で支持している。トーボード支持部３１は、図４に示すように、スレッド１上に配置されるガイドレール３１１と、ガイドレール３１１上を移動する移動台３１２と、移動台３１２に固定されたブラケット３１３と、ブラケット３１３に対してトーボード４を回転可能に支持する支持軸３１４とを有する。
【００２４】
ガイドレール３１１は、レール１１と平行となるようにスレッド１上に配置されている。
【００２５】
移動台３１２は、ガイドレール３１１を滑走する。移動台３１２は、ガイドレール３１１に沿ってスレッド１上を水平方向Ｄａの前後に移動可能とされている。移動台３１２は、ブラケット３１３の台座となっている。
【００２６】
ブラケット３１３は、移動台３１２から鉛直方向の上方に延びている。ブラケット３１３は、支持軸３１４を回転可能に支持している。
【００２７】
支持軸３１４は、スレッド１の移動方向である水平方向Ｄａに直交する水平な幅方向Ｄｗに沿って配置されている。支持軸３１４は、幅方向Ｄｗに延びる円柱状の軸部材である。支持軸３１４は、ブラケット３１３に対して幅方向Ｄｗにぼる中心軸回りに回転可能とされている。支持軸３１４は、トーボード４をブラケット３１３に対して回転可能に支持している。
【００２８】
第二発射装置３２は、トーボード４に向けて加速度を与えてトーボード４を支持軸３１４回りに回転させる。本実施形態の第二発射装置３２は、図３に示すように、トーボード４の前方に位置するようにスレッド１上に配置されている。第二発射装置３２は、油圧制御（または、空圧制御、摩擦制御など）されることで、トーボード４側に打ち出される第二ピストン３２１を有している。第二発射装置３２は、基端部がスレッド１上に固定された固定ブロック３５に回転自在に連結されている。第二発射装置３２は、第二ピストン３２１の先端部がトーボード４に回転自在に連結されている。
【００２９】
第二発射装置３２は、第二ピストン３２１を打ち出すことで、トーボード４に対して後方へ回転する衝撃力、つまり、加速度を与える。即ち、第二発射装置３２は、トーボード４に対して支持軸３１４を中心として回転する回転力を付与する。第二発射装置３２は、第一発射装置２によりスレッド１に後方加速度を付与するときに同時に作動し、トーボード４に後方加速度を付与する。
【００３０】
第三発射装置３３は、トーボード４に向けて加速度を与えてトーボード４を水平方向Ｄａに移動させる。第三発射装置３３は、トーボード４の前方に位置するようにスレッド１上に第二発射装置３２と並んで配置されている。第三発射装置３３は、油圧制御（または、空圧制御、摩擦制御など）されることで、トーボード４側に打ち出される第三ピストン３３１を有している。第三発射装置３３は、基端部がスレッド１上に固定された固定ブロック３５に回転自在に連結されている。第三発射装置３３は、第三ピストン３３１の先端部がブラケット３１３に回転自在に連結されている。このため、第三発射装置３３は、第三ピストン３３１を打ち出すことで、ブラケット３１３に対して後方へ移動する衝撃力、つまり、加速度を与える。
【００３１】
第三発射装置３３は、第二発射装置３２によりトーボード４に後方加速度を付与するときに同時に作動し、トーボード４に後方加速度を付与する。つまり、自動車衝突模擬試験装置１００では、第一発射装置２によりスレッド１に加速度を付与してスレッド１に後方加速度を与えたときに、第二発射装置３２及び第三発射装置３３によってトーボード４に加速度を付与している。これにより、自動車衝突模擬試験装置１００では、スレッド１上のトーボード４が前面衝突による後方加速度（変形）を受けたことと同様の状況となる。その結果、自動車衝突模擬試験装置１００では、自動車が衝突した際の衝撃をトーボード４に発生させている。
【００３２】
トーボード４は、エンジンルームとその後方の乗員ルームとを仕切る部材を模擬した供試体４ａである。トーボード４は、スレッド１に対して水平方向Ｄａに移動可能に支持されている。本実施形態のトーボード４は、図４に示すように、支持軸３１４に固定されており、支持軸３１４とともにブラケット３１３に対して回転可能に支持されている。トーボード４は、支持軸３１４を介してブラケット３１３に取り付けられることで、移動第３１２とともにスレッド１に対して水平方向Ｄａに移動可能に取り付けられている。つまり、トーボード４は、スレッド１に対して、水平方向Ｄａに移動可能かつ支持軸３１４回りに回転可能とされている。トーボード４は、水平部４１と、傾斜部４２と、取付部７と、を有している。
【００３３】
水平部４１は、自動車の運転席または助手席における乗員ルームのフロアを構成するフロアボードを模擬した模擬車体部品である。水平部４１は、水平方向Ｄａに延びている。具体的には、本実施形態の水平部４１は、支持軸３１４に対して水平方向Ｄａの後方に延びている。水平部４１は、床面１０に対して水平に形成されている。水平部４１は、幅方向Ｄｗに長い矩形平板状の部材である。
【００３４】
傾斜部４２は、自動車の運転席または助手席におけるエンジンルームと乗員ルームとを仕切る部材を模擬した模擬車体部品である。傾斜部４２は、水平部４１の水平方向Ｄａの一方側である前方の端部から水平方向Ｄａの前方かつ鉛直方向の上側に延びている。具体的には、本実施形態の傾斜部４２は、支持軸３１４に対して水平方向Ｄａの前方かつ鉛直方向の上側に向かって延びる長い矩形平板状の部材である。傾斜部４２は、幅方向Ｄｗの長さが水平部４１と同じ大きさ形成されている。傾斜部４２は、水平方向Ｄａの長さが水平部４１よりも長く形成されている。傾斜部４２は、水平部４１に対して鈍角をなすように、水平部４１の前方の端部から傾斜して延びている。つまり、傾斜部４２は、支持軸３１４と連結される位置で水平部４１と一体に形成されている。したがって、トーボード４は、支持軸３１４を介して所定角度（鈍角）で折り曲げられた板形状をなしている。
【００３５】
取付部７は、水平部４１及び傾斜部４２に対して錘部５を着脱自在に取り付け可能としている。本実施形態の取付部７は、水平部４１及び傾斜部４２の任意の位置に錘部５を取り付け可能としている。取付部７は、試験を実施した際に、水平部４１及び傾斜部４２から脱落したりずれたりしないように、錘部５を固定している。取付部７は、図５に示すように、トーボード４の全域にわたって間隔を空けて形成された複数の孔部７１と、孔部７１に挿通されて錘部５を固定する固定部材７２とを有する。
【００３６】
孔部７１は、水平部４１及び傾斜部４２に形成されている。孔部７１は、水平部４１や傾斜部４２を鉛直方向に貫通している。孔部７１は、水平部４１及び傾斜部４２に対して幅方向Ｄｗ及び水平方向Ｄａにそれぞれ所定の間隔を空けて配置されている。具体的には、複数の孔部７１は、傾斜部４２では幅方向Ｄｗに所定の寸法ａ（例えば、５０ｍｍ程度）だけ間隔を空けて７列にわたって形成されている。複数の孔部７１は、傾斜部４２では水平方向Ｄａに所定の寸法ｂだけ間隔を空けて５列にわたって形成されている。複数の孔部７１は、水平部４１では幅方向Ｄｗに所定の寸法ａだけ間隔を空けて７列にわたって形成されている。複数の孔部７１は、水平部４１では水平方向Ｄａに所定の寸法ｂだけ間隔を空けて３列にわたって形成されている。
【００３７】
固定部材７２は、錘部５を水平部４１または傾斜部４２に対して着脱可能に固定する。本実施形態の固定部材７２は、孔部７１に挿通可能とされたボルトナットである。なお、固定部材７２は、本実施形態のようにボルトナットに限定されるものではなく、試験を実施した際に脱落したりずれたりしないような力でトーボード４に対して錘部５を着脱可能に固定することができればよい。
【００３８】
錘部５は、トーボード４に取り付けられる。錘部５は、規定質量となるように形成されている。本実施形態の錘部５は、図４に示すように、人体ダミーを配置したと仮定した場合に、トーボード４上の人体ダミーの踵と踝とを結ぶ仮想線Ｏと交差する位置と錘部５の中心位置とが重なるように配置される。錘部５は、傾斜部４２に取り付けられていることが好ましい。本実施形態の錘部５は、人体ダミーの両方の足に対応するように一つの傾斜部４２に対して二カ所配置されている。
【００３９】
ここで、規定質量とは、トーボード４に対して乗車が想定される乗員の踵から加わる荷重に相当するように予め定められた質量である。具体的には、規定質量は、自動車衝突模擬試験装置１００に従来使用される人体ダミーの全体質量から導き出される。規定質量は、使用される人体ダミーの質量の１０％〜１５％程度の比率となるように定められることが好ましい。この比率は、人体ダミーの下肢質量相当となる値である。例えば、規定質量は、成人男性を模擬する７５ｋｇの人体ダミーの場合には１０ｋｇ程度とされ、成人女性を模擬する５０ｋｇの人体ダミーの場合には６ｋｇ程度とされる。
【００４０】
錘部５は、同じ形状をなす複数の平板状の小錘板５１（板部材）が積層されて構成されている。小錘板５１は、矩形平板状をなしている。小径板は、孔部７１と対応するように貫通孔が複数形成されている。小錘板５１は、複数枚で規定質量となるように形成されている、本実施形態の小錘板５１は、例えば、１ｋｇ程度の質量で形成されている。したがって、錘部５は、規定質量となるように複数枚の小錘板５１が積層された状態で貫通孔及び孔部７１に固定部材７２を挿通させることで傾斜部４２に取り付けられている。
【００４１】
ここで、本実施形態の自動車衝突模擬試験装置１００の作動について説明する。
本実施形態の自動車衝突模擬試験装置１００により自動車衝突試験を実施する場合、事前に、スレッド１やトーボード４の設計データ（重量や重心位置など）、実車衝突試験で得られた衝突時間に対する加速度変化の各データから試験条件を設定する。具体的には、この加速度の時間的変化（波形）を再現できるように、第一発射装置２における第一ピストン２１、第二発射装置３２における第二ピストン３２１、及び第三発射装置３３における第三ピストン３３１の打ち出し力、スレッド１上の供試体４ａの位置を所定値に設定しておく。
【００４２】
また、人体ダミーをシート等に仮置きし、傾斜部４２上の人体ダミーの踵と踝とを結ぶ仮想線Ｏと交差する位置と中心位置が重なるように小錘板５１を一枚配置する。試験の対象とされた乗員の重量に合わせて定めた規定質量に合うように小錘板５１を複数枚積層して、孔部７１に固定部材７２を介して固定する。
【００４３】
錘部５が傾斜部４２に固定された状態で、図１から図３に示すように、第一発射装置２を油圧制御することで、第一ピストン２１が打ち出される。第一ピストン２１が打ち出されることで、停止状態にあるスレッド１に対して目標前後加速度（スレッド１における後方加速度）が与えられる。つまり、衝突時を模擬する加速度はスレッド１に与えられる。その結果、スレッド１は、与えられた目標前後加速度に伴って所定距離だけ後方に移動する。
【００４４】
また、第一発射装置２と同時に第二発射装置３２及び第三発射装置３３を油圧制御することで、第二ピストン３２１及び第三ピストン３３１が打ち出される。第二ピストン３２１及び第三ピストン３３１が打ち出されることで、停止状態にあるトーボード４に対して目標前後加速度（トーボード４における後方加速度）が与えられる。つまり、衝突時を模擬する加速度はトーボード４に与えられる。その結果、トーボード４は、与えられた目標前後加速度に伴って所定角度だけ後方に回転すると共に、所定距離だけ後方に移動する。即ち、トーボード４は、傾斜部４２が支持軸３１４を支点として立ち上がると共に、水平部４１が支持軸３１４を支点として下降し、同時に、トーボード４が後退する。
【００４５】
このような自動車衝突模擬試験装置１００によれば、錘部５が傾斜部４２に取り付けられた状態で試験が実施される。そのため、トーボード４に錘部５からの負荷がかかった状態で、第一発射装置２、第二発射装置３２及び第三発射装置３３からトーボード４に加速度が付与される。その結果、トーボード４に運転者等の乗員の足が置かれた状態のような負荷を与えて試験を実施することができる。つまり、人体ダミーを用いることなく、人体ダミーを使用した場合のように錘部５からトーボード４に負荷を与えて試験を行うことができる。加えて、人体ダミーを用いずに試験を実施できることで、新たな人体ダミーを用意することなく試験を繰り返し実施することができる。したがって、交換の必要な供試体４ａを用いることなく、自動車が衝突した際のトーボード４の応答を精度良く再現することができる。これにより、試験効率やコスト効率を向上させることができる。
【００４６】
また、トーボード４の中でも乗員による負荷のかかりやすい傾斜部４２に錘部５が取り付けられている。つまり、実際に乗員が自動車に乗っている場合に負荷がかかるトーボード４上の位置に錘部５によって負荷を与えることができる。これにより、試験時に自動車が衝突した際のトーボード４の応答を一層精度良く再現することができる。
【００４７】
特に、本実施形態では、錘部５の規定質量が人体ダミーの下肢質量相当とされている。そのため、人体ダミーを用いることなく、錘部５だけでトーボード４に運転者等の乗員の足が置かれた状態を高い精度で模擬して試験を実施することができる。これにより、自動車が衝突した際のトーボード４の応答をより一層高い精度で再現することができる。
【００４８】
また、孔部７１が水平部４１及び傾斜部４２の全域にわたって形成され、この孔部７１に挿通された固定部材７２で錘部５を着脱自在に固定している。そのため、トーボード４の任意の位置に錘部５を取り付けて試験を実施することができる。
【００４９】
また、トーボード４上の人体ダミーの踵と踝とを結ぶ仮想線Ｏと交差する位置と錘部５の中心位置とが重なるように配置されている。そのため、実際に乗員が自動車に乗っている状況を単に錘部５をトーボード４上に配置した場合よりも、高い精度で再現することができる。したがって、自動車が衝突した際のトーボード４の応答をより一層高い精度で再現することができる。
【００５０】
また、錘部５が小錘板５１を複数枚重ねることで規定質量となるように形成されている。そのため、成人男性を模擬する場合や成人女性を模擬する場合のように、試験対象となる乗員の体重を変更して試験を実施する際に、小錘板５１の枚数を変化させるだけで錘部５の規定質量を対応する質量に合わせるように調整することができる。つまり、小錘板５１を積層させる枚数を変化させることで、錘部５の質量を容易に調整することができる。
【００５１】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、特許請求の範囲によってのみ限定される。
【００５２】
なお、イントルージョン装置３は、本実施形態のように第二発射装置３２と第三発射装置３３との二つのトーボード加速度装置を備えるものに限定されるものではなく、トーボード４に向けて加速度を与えることができればよい。例えば、イントルージョン装置３は、第二発射装置３２のみを備えていてもよく、第三発射装置３３のみを備えていてもよい。
【００５３】
また、イントルージョン装置３では、第二発射装置３２の第二ピストン３２１や第三発射装置３３の第三ピストン３３１の先端部をトーボード４に回転自在に連結したが、第一発射装置２のように、第二ピストン３２１の先端部をトーボード４に突き当てるようにしてもよい。
【００５４】
また、規定質量は、本実施形態のように人体ダミーから定められることに限定されるものではない。例えば、規定質量は、実際の乗員を想定して定めてもよい。
【符号の説明】
【００５５】
１００…自動車衝突模擬試験装置  １…スレッド  １０…床面  １１…レール  １ａ…スライダ  ４ａ…供試体  ２…第一発射装置  ２１…第一ピストン  ３…イントルージョン装置  ３１…トーボード支持部  ３１１…ガイドレール  ３１２…移動台  ３１３…ブラケット  ３１４…支持軸  ３２…第二発射装置  ３２１…第二ピストン  ３３…第三発射装置  ３３１…第三ピストン  ３５…固定ブロック  ４…トーボード  ４１…水平部  ４２…傾斜部  ７…取付部  ７１…孔部  ７２…固定部材  ５…錘部  ５１…小錘板  Ｏ…仮想線
【図１】
2018044821.tif 000003
【図２】
2018044821.tif 000004
【図３】
2018044821.tif 000005
【図４】
2018044821.tif 000006
【図５】
2018044821.tif 000007